(57)【要約】      （修正有）【課題】作業者の作業が簡単で、確実に塗装用ローラの落下を防止できるようにする。【解決手段】ローラグリップ１の一端に固定したロッド３に、ローラ部材４を取り付けるとともに、上記ローラグリップ１の他端に延長柄の先端を結合する雌ねじを設けた塗装用ローラに用いるアダプタ５であって、本体部５ａと、この本体部５ａの一端側に設けたループ部６と、本体部５ａの上記ループ部６と反対側に設け、ローラグリップ１の他端に設けた雌ねじに噛み合う雄ねじ５ｂとを備えた。【選択図】図３
0003137759.tif 000002
【実用新案登録請求の範囲】
【請求項１】
ローラグリップの一端に固定したロッドに、ローラ部材を取り付けるとともに、上記ローラグリップの他端に延長柄の先端を結合する雌ねじを設けた塗装用ローラに用いるアダプタであって、本体部と、この本体部の一端側に設けたループ部と、本体部の上記ループ部とは反対側に設け、上記ローラグリップの他端に設けた上記雌ねじに噛み合う雄ねじとを備えた塗装用ローラのアダプタ。
【請求項２】
上記本体部と雄ねじとの間に段部を設け、この段部の外径を、ローラグリップの雌ねじの開口径より大きくし、上記雄ねじをローラグリップにはめ込んだとき、上記段部がローラグリップの雌ねじの開口端面に接触して上記開口内周を覆う構成にした請求項１に記載の塗装用ローラのアダプタ。
【考案の詳細な説明】
【技術分野】
【０００１】
本考案は、塗装用ローラに安全コードを取り付けるためのアダプタに関する。
【背景技術】
【０００２】
従来から、外壁塗装には、刷毛や、塗装用ローラを用いる方法や、塗料を塗布面に対して噴霧する吹付け塗装が用いられている。これらの塗装方法の中で、広範囲の塗装を短時間に行なうためには、他の方法に比べて吹付け塗装が適しているが、吹付け塗装では、塗面以外にも塗料が飛び散って、塗料が無駄になるという欠点がある。特に、広範囲の塗面に対しては、塗料の飛び散り量が多くなり、それだけ塗料を無駄に使うことになる。
一方で、近年、高層建築が多くなり、高所での塗装作業の必要があるが、高所での吹付け塗装は、周囲に飛び散った塗料が、さらに広く飛び、公害のもとになることもあった。
【０００３】
そのため、特に、高所での塗装作業には、刷毛を用いるよりも広範囲の塗装が容易で、しかも吹付け塗装のように塗料の無駄や飛び散りの心配がほとんどない塗装用ローラが用いられることが多い。
このように、高所での塗装に適した塗装用ローラは、例えば、図５に示すように、樹脂製で中空のローラグリップ１の一端側に金属製のロッド３を固定し、このロッド３にローラ部材４を取り付けたものである。
そして、ローラグリップ１は、外形を握り易い曲面とするとともに、滑り難いように表面に凹凸を形成している。
【０００４】
また、上記ローラグリップ１であって、ロッド３を固定した側には、複数の支持片１ａを備え、この支持片１ａを塗料容器の縁に引っ掛けられるようにしている。
さらに、ローラグリップ１の他端を開口端１ｂとし、この開口端１ｂ側内周には、延長柄を結合するための雌ねじ１ｃを備えている。この雌ねじ１ｃには、それに噛み合う雄ねじを備えた上記延長柄を結合して、グリップを長くして用いることができるようにしている。ただし、高所作業時には、延長柄を接合せずに、ローラグリップ１を直接握って塗装作業を行なう。
【０００５】
上記のような塗装用ローラを用いる高所作業時には、塗料の飛び散りだけでなく、塗装用ローラを落としてしまうことがないように注意しなければならない。塗装用ローラ自身は、それほど重量がなかったとしても、高所から落下すれば、地上に達するまでに落下速度がかなり大きくなり、人や物に衝突すれば大事故になってしまう。
特に、塗装中のローラグリップ１に塗料がついてしまうと滑りやすくなり、しかも、ローラ自体も重くなるので、ややもすると、当該塗装用ローラが手元から滑り落ちてしまうことがあった。そのため、作業者は、使用している塗装用ローラを落とさないように注意するとともに、各自工夫をしている。例えば、ローラグリップ１にワイヤーを巻きつけて、その一端を作業着のベルトに結び付けたり、作業者がローラグリップに巻きつけたワイヤーに、市販の安全コードを接続したりしていた。
【特許文献１】特開２００４−０５００５７号公報
【考案の開示】
【考案が解決しようとする課題】
【０００６】
上記のように、高所での塗装作業の際には、高所から塗装用ローラを落下させてしまうことがないように、各作業者の注意と工夫が必要である。
ところが、従来の場合には、毎回、ローラグリップ１にワイヤーなどを巻きつけたり、作業中にも、巻きつけたワイヤーがはずれそうになっていないか確認したりしなければならなかった。
また、上記のように、高所での安全な塗装作業を、作業者個人の注意と工夫に頼っていたのでは、ローラグリップ１にワイヤーなどを巻きつけたりする作業が大変であるだけでなく、作業者は、塗装用ローラを落としてしまわないように気を使いながら作業しなければならず、作業性も悪くなってしまう。
この考案が解決しようとする課題は、作業者の作業が簡単で、確実に塗装用ローラの落下を防止できるようにすることである。
【課題を解決するための手段】
【０００７】
第１の考案は、ローラグリップの一端に固定したロッドに、ローラ部材を取り付けるとともに、上記ローラグリップの他端に延長柄の先端を結合する雌ねじを設けた塗装用ローラに用いるアダプタであって、本体部と、この本体部の一端側に設けたループ部と、本体部の上記ループ部と反対側に設け、上記ローラグリップの他端に設けた雌ねじに噛み合う雄ねじとを備えた点に特徴を有する。
【０００８】
第２の考案は、第１の発明を前提とし、上記本体部と雄ねじとの間に段部を設け、この段部の外径を、ローラグリップの雌ねじの開口径より大きくし、上記雄ねじをローラグリップにはめ込んだとき、上記段部がローラグリップの雌ねじの開口端面に接触して上記開口内周を覆う構成にした点に特徴を有する。
【考案の効果】
【０００９】
第１の考案のアダプタは、ねじ結合によって、ローラグリップの端部に簡単、かつ、確実に結合することができ、ループ部には、様々な安全コードを連結することができる。従って、塗装用ローラを用いた高所での塗装作業時には、上記アダプタに連結した安全コードを、作業者の腕などの身体に取り付けることによって、塗装用ローラの落下を防止することができ、安全な塗装作業ができる。
【００１０】
第２の考案によれば、アダプタ側の雄ねじをローラグリップ内にねじ込んで雌ねじに結合したときに、アダプタの段部がローラグリップの開口端面に接触して開口内周をふさぐ。そのため、作業中に、ローラグリップに塗料が垂れても、その塗料がローラグリップの雌ねじとアダプタの雄ねじとの間に入り込んで、雄ねじに塗料が付いてしまうことがない。このように雄ねじに塗料がつかないので、作業後に塗装用ローラからはずしたアダプタを、すぐに別のローラに取り付けることができる。また、塗装作業時に、アダプタの雄ねじに塗料がついてしまうことがないので、アダプタを再使用する際にも、雄ねじに詰まった塗料が原因となってねじ結合ができなくなることがなく、いつでも、ローラグリップの雌ねじに対してアダプタの雄ねじをきっちり結合することができる。
【考案を実施するための最良の形態】
【００１１】
図１〜図５に、この発明の一実施形態を示すが、図１に示すアダプタ５は、図５に示す塗装用ローラのローラグリップ１に取り付けて用いるものである。
図１のアダプタ５は、本体部５ａに段部５ｃを介して連続的に形成した雄ねじ５ｂを備え、この雄ねじ５ｂとは反対側にはループ部６を取り付けているが、このループ部６は、本体部５ａとは別部材を本体部５ａに対して回動自在に取り付けたものである。ただし、このループ部６は本体部５ａと一体に設けてもよい。そして、上記雄ねじ５ｂは、図５に示すローラグリップ１の雌ねじ１ｃにねじ結合するものである。そのため、この雄ねじ５ｂの外径ｄは、上記ローラグリップ１の、雌ねじ１ｃの開口内径ｄとほぼ同等になるが、上記段部５ｃの外径Ｄは、上記外径ｄよりも大きくしている。つまり、上記段部５ｃの外径Ｄは、ローラグリップ１の開口径ｄよりも大きくしている。
【００１２】
このようなアダプタ５のループ部６には、図２に示すように、安全コード７を接続して用いるものである。
上記安全コード７は、コイル状にして伸縮自在にしたコード８の一端に、フック部材９を連結し、他端には作業者の手首を通すループ部材１０を備えている。上記フック部材９は、金属製の部材で、Ｕ字状のフック部９ａと、このフック部９ａの開口に対して回動し、上記開口を開閉する回動部９ｂとを備えている。そして、上記回動部９ｂは、図示しないバネ部材によって、フック部９ａの開口を閉じる方向の弾性力を付与されている。
一方、ループ部材１０には、ループ部材１０上を移動し、任意の位置に停止してループの大きさを調節する調節部材１１を設けている。
【００１３】
このような安全コード７のフック部材９を、上記アダプタ５のループ部６に引っ掛けて連結し、図３に示すように、雄ねじ５ｂをローラグリップ１の開口端１ｂから、矢印のようにねじ込み、雄ねじ５ｂと雌ねじ１ｃとを結合すれば、塗装用ローラに安全コード７が連結される。そして、塗装作業者は、上記安全コード７のループ部材１０に手首を通し、上記調節部材１１でループの大きさを調節して、図４に示すように塗装用ローラを手首に連結した状態で、塗装作業を行なうことができる。
【００１４】
このようにして、安全コード７を連結した塗装用ローラを、高所での塗装作業に用いれば、塗料などで手が滑ってローラグリップ１を離してしまったとしても、塗装用ローラが落下してしまうことがないので、作業者は安心して作業ができる。
しかも、この実施形態のアダプタ５は、延長柄を取り付けるために設けられている雌ねじ１ｃへのねじ結合によって、簡単、かつ、確実に、ローラグリップ１に結合することができ、アダプタ５のループ部６には、安全コード７のフック部材９を簡単に連結することができる。つまり、塗装作業者は、従来のように自分でローラグリップ１にワイヤーなどを巻きつけるなどの手間を掛けずに、高所での塗装作業を安全に行なうことができるようになる。
【００１５】
また、この実施形態のアダプタ５は、図１に示すように段部５ｃの外径をローラグリップ１の開口径ｄ（図５参照）よりも大きくし、軸方向に直交する平面としているので、雄ねじ５ｂをローラグリップ１の雌ねじ１ｃに締め付けて完全にねじ込んだとき、段部５ｃがローラグリップ１の開口端１ｂに密着して、雌ねじ１ｃの開口内周を覆うことになる。
そのため、図４のようにした塗装作業中に、塗料がローラグリップ１を伝って流れ落ちてきたとしても、ローラグリップ１の雌ねじ１ｃとアダプタ５の雄ねじ５ｂとの間に塗料が入りこむことがない。つまり、アダプタ５の雄ねじ５ｂの外周に塗料が付着しない。このように、雄ねじ５ｂの外周に塗料付着がないので、ローラグリップ１から取り外したアダプタ５を、すぐに再使用しても、塗料がねじ結合の障害になることがない。
【００１６】
なお、アダプタ５のループ部６に取り付ける安全コードは上記実施形態のものに限らず、着脱が容易であって連結中には簡単に外れない構造のフック部材を備えたものなら、どのようなものでもよい。また、両端にフック部材を備えた安全コードなら、一方のフック部材をアダプタ５に連結し、他方のフック部材を作業着のベルト通しなどに取り付けて利用することもできる。
【図面の簡単な説明】
【００１７】
【図１】実施形態のアダプタの斜視図である。
【図２】実施形態のアダプタに安全コードを取り付けた状態の斜視図である。
【図３】実施形態のアダプタを塗装用ローラに結合する方法を説明するための平面図である。
【図４】実施形態のアダプタの使用状況を示す図である。
【図５】塗装用ローラの斜視図である。
【符号の説明】
【００１８】
５      アダプタ
５ａ    本体部
５ｂ    雄ねじ
５ｃ    段部
６      ループ部
Ｄ      （段部の）外径
【図１】
0003137759.tif 000003
【図２】
0003137759.tif 000004
【図３】
0003137759.tif 000005
【図４】
0003137759.tif 000006
【図５】
0003137759.tif 000007